【手続補正書】
【提出日】平成18年7月19日(2006.7.19)
【手続補正１】
【補正対象書類名】明細書
【補正対象項目名】特許請求の範囲
【補正方法】変更
【補正の内容】
【特許請求の範囲】
【請求項１】  化学式（Ｉ）：
【化１】
2002521529.tif 000001
［式中、Ｒ１はＣＨであってＲ６が化学結合であるか、あるいは、Ｒ１とＲ６が一緒になって電子求引性基を形成しており；
Ｒ２とＲ３は、（ＣＲ７Ｒ８）ｎ、あるいは、基ＣＲ９Ｒ１０、−（ＣＲ７Ｒ８ＣＲ９Ｒ１０）−、または−（ＣＲ９Ｒ１０ＣＲ７Ｒ８）−から独立に選択され（式中、ｎは０、１、または２であり、Ｒ７とＲ８は水素またはアルキルから独立に選択され、そして、Ｒ９またはＲ１０のいずれか一方が水素であって他方が電子求引性基であるか、あるいは、Ｒ９とＲ１０が一緒になって電子求引性基を形成している）、そして
Ｒ４とＲ５はＣＨまたはＣＲ１１から独立に選択され（式中、Ｒ１１は電子求引性基である）；
点線は、化学結合が存在しているか、あるいは、存在していないことを示しており、そして、Ｘ１は、Ｘ１がそこに結合されている該点線の化学結合が存在していない場合には基ＣＸ２Ｘ３であって、Ｘ１がそこに結合されている該点線の化学結合が存在している場合には基ＣＸ２であり、Ｙ１は、Ｙ１がそこに結合されている該点線の化学結合が存在していない場合には基ＣＹ２Ｙ３であって、Ｙ１がそこに結合されている該点線の化学結合が存在している場合には基ＣＹ２であり、そして、Ｘ２、Ｘ３、Ｙ２、及びＹ３は、水素及びフッ素から独立に選択され；
Ｒ１６は、以下の前提：
（ｉ）（ａ）Ｒ１とＲ６、または（ｂ）Ｒ２とＲ３、もしくは（ｃ）Ｒ４とＲ５のうちの少なくとも１つが電子求引性基を含んでいること；
を条件として、原子価がｒの橋かけ基であって、ｒは２もしくはそれ以上の整数である］
で表される化合物。
【請求項２】  化学式（ＩＡ）：
【化２】
2002521529.tif 000002
［式中のＲ１、Ｒ２、Ｒ３、Ｒ４、Ｒ５、Ｒ６、Ｒ１６、Ｘ２、Ｘ３、Ｙ２、及びＹ３は、請求項１において定義された通りのものである］
で表されることを特徴とする、請求項１による化合物。
【請求項３】  Ｒ１とＲ６が電子求引性基を形成していることを特徴とする、先行する請求項のいずれか一項による化合物。
【請求項４】  化学式（Ｉ）の化合物において、Ｒ２とＲ３が基（ＣＲ８’Ｒ８）ｎ［式中のＲ８、Ｒ８’、及びｎは、請求項１において定義された通りのものである］であり、Ｒ４とＲ５がＣＨ基であることを特徴とする、請求項３による化合物。
【請求項５】  化学式（Ｉ）の化合物において、Ｒ１が電子求引特性を有するヘテロ原子または置換されたヘテロ原子であることを特徴とする、請求項３または請求項４による化合物。
【請求項６】  Ｒ１がＮ＋Ｒ１２（Ｚｍ−）１／ｍ、Ｓ（Ｏ）ｐＲ１３、Ｂ、Ｐ（Ｏ）ｑＲ１４、またはＳｉ（Ｒ１５）［式中、Ｒ１２、Ｒ１３、Ｒ１４、及びＲ１５は水素またはヒドロカルビルから独立に選択され、Ｚは原子価がｍの陰イオンであり、ｐは０、１、または２であり、そして、ｑは０、１、２、または３である］であり、そして、Ｒ６が化学結合であることを特徴とする、請求項６による化合物。
【請求項７】  Ｒ１がＮ＋Ｒ１２（Ｚｍ−）１／ｍ基［式中のＲ１２、Ｚ、及びｍは請求項６において定義された通りのものである］であることを特徴とする、請求項６による化合物。
【請求項８】  Ｚがハロゲンであることを特徴とする、請求項６または請求項７による化合物。
【請求項９】  Ｒ１２がアルキルであることを特徴とする、請求項７または請求項８による化合物。
【請求項１０】  Ｒ１が基ＣＨであり、そして、Ｒ６が基、−Ｃ（Ｏ）Ｏ−または−ＯＣ（Ｏ）−、あるいは−Ｓ（Ｏ）２−であることを特徴とする、請求項１から５までのいずれか一項による化合物。
【請求項１１】  Ｒ１が窒素原子であり、そして、Ｒ６がカルボニル基またはスルホニル基であることを特徴とする、請求項１から４までのいずれか一項による化合物。
【請求項１２】  Ｒ１が窒素であり、そして、Ｒ６がスルホニル基であることを特徴とする、請求項１１による化合物。
【請求項１３】  Ｒ２及びＲ３が電子求引性基であることを特徴とする、請求項１または請求項２による化合物。
【請求項１４】  Ｒ２またはＲ３のうちの少なくとも１つが適当な電子求引性基Ｒ９及びＲ１０を含んでいることを特徴とする、請求項１３による化合物。
【請求項１５】  Ｒ９とＲ１０が一緒になってオキソ基を形成していることを特徴とする、請求項１４による化合物。
【請求項１６】  ｒが２から６までの整数であることを特徴とする、先行する請求項のいずれか一項による化合物。
【請求項１７】  ｒが２から４までの整数であることを特徴とする、請求項１６による化合物。
【請求項１８】  Ｒ１６が、任意に官能基で置換または間入された、直鎖または分子鎖のアルキル基；またはシロキサン基を包含していることを特徴とする、先行する請求項のいずれか一項による化合物。
【請求項１９】  ｒが２であり、そして、Ｒ１６が副次化学式（ＩＩ）：
−Ｚ１−（Ｑ１）ａ−（Ｚ２−Ｑ２）ｂ−Ｚ３−  （ＩＩ）
［式中、ａ及びｂは０、１、または２から独立に選択され、Ｚ１、Ｚ２、及びＺ３は、化学結合、任意に置換された線状または分枝型のアルキルまたはアルケン鎖から独立に選択され、ここで、任意に１つもしくはそれ以上の隣接していない炭素原子がヘテロ原子またはアミド基で置換されており、Ｑ１及びＱ２は、任意に橋かけアルキル基を包含する任意に置換された炭素環式またはヘテロ環式の環から独立に選択され；
ａ及びｂは０、１、または２から独立に選択される］で表される基であることを特徴とする、先行する請求項のいずれか一項による化合物。
【請求項２０】  Ｒ１６が電気的に伝導性の鎖であることを特徴とする、請求項１から１７までのいずれか一項による化合物。
【請求項２１】  Ｒ１６が四置換伝導性単位であることを特徴とする、請求項２０による化合物。
【請求項２２】  化学式（ＩＩＩ）：
【化３】
2002521529.tif 000003
［式中、Ｒ２１及びＲ２３は、それぞれ、副次化学式（ＩＶ）：
【化４】
2002521529.tif 000004
［式中のＸ１、Ｘ２、Ｙ１、Ｙ２、Ｒ１、Ｒ２、Ｒ３、Ｒ４、Ｒ５、及びＲ６は請求項１において定義された通りのものである］で表される基であり、そして、Ｒ１７及びＲ１９は、請求項１９において定義された通りの副次化学式（ＩＩ）で表される基から独立に選択され、ｑは１もしくはそれ以上の整数であり、そして、Ｑはイオウまたは窒素である］で表される、請求項２１による化合物。
【請求項２３】  Ｒ１７、Ｒ１８、Ｒ１９、及びＲ２０がアルキレン基であることを特徴とする、請求項２２による化合物。
【請求項２４】  Ｒ１６が四または八置換非線形光学単位であることを特徴とする、請求項１から１７までのいずれか一項による化合物。
【請求項２５】  Ｒ１６が任意に置換されたポルフィリンまたはフタロシアニンであることを特徴とする、請求項２４による化合物。
【請求項２６】  化学式（ＶＩ）：
【化５】
2002521529.tif 000005
［式中のＲ１７、Ｒ１８、Ｒ１９、Ｒ２０、Ｒ２１、Ｒ２２、Ｒ２３、及びＲ２４は請求項２２において定義された通りのものであり、そして、Ｒ２５、Ｒ２６、Ｒ２７、及びＲ２８は、水素またはヒドロカルビル基からそれぞれ独立に選択され、大環状ヘテロ環式単位内に任意に金属イオンを包含する］；
または化学式（ＶＩＡ）：
【化６】
2002521529.tif 000006
［式中、Ｒ５０からＲ６５までは、Ｒ５０からＲ６５までのうちの少なくとも２つがＲ２４−Ｒ２８基であることを条件として、ヒドロカルビル、基ＯＲ６８［式中のＲ６８はヒドロカルビルである］、ハロゲン、または基Ｒ２４−Ｒ２８［式中のＲ２４及びＲ２８は以上で定義された通りのものである］から独立に選択され、そして、Ｒ６６とＲ６７は水素であるか、あるいは、それらが一緒になって金属イオンを包含しているかのいずれかである］で表される、請求項２５による化合物。
【請求項２７】  ナトリウムまたはカリウム、あるいは銅から選択される金属イオンを包含していることを特徴とする、請求項２６による化合物。
【請求項２８】  Ｒ１６がポリシロキサン網状高分子であり、ここで、Ｒ１６が原子価ｒの線状または分枝型のシロキサン鎖、または環状ポリシロキサン単位、あるいはそれらのホウ素相当物を包含していることを特徴とする、請求項１から１７までのいずれか一項による化合物。
【請求項２９】  化学構造式（ＶＩＩ）：
【化７】
2002521529.tif 000007
［式中のＲ１７、Ｒ１８、Ｒ２１、及びＲ２２は上記の請求項２２において定義された通りのものであり、Ｒ２８、Ｒ２９、Ｒ３０、及びＲ３１はヒドロカルビルから選択され、そして、Ｒ３２またはＲ３２の各基は、ヒドロカルビルまたは化学式Ｒ１９−Ｒ２３［式中のＲ１９及びＲ２３は上記の請求項２２において定義された通りのものである］で表される基から独立に選択され、そして、ｕは０、または、１もしくはそれ以上の整数である］で表される、請求項２８による化合物。
【請求項３０】  化学構造式（ＶＩＩＩ）：
【化８】
2002521529.tif 000008
［式中のＲ１７、Ｒ１８、Ｒ１９、Ｒ２０、Ｒ２１、Ｒ２２、Ｒ２３、及びＲ２４は請求項２２において定義された通りのものであり、そして、Ｒ２８、Ｒ２９、Ｒ３０、及びＲ３１は請求項２９において定義された通りのものである］で表される、請求項２８による化合物。
【請求項３１】  化学式（ＩＸ）：
【化９】
2002521529.tif 000009
［式中のＲ１７、Ｒ１８、Ｒ１９、Ｒ２０、Ｒ２１、Ｒ２２、Ｒ２３、及びＲ２４は上記の請求項２２において定義された通りのものである］で表される、請求項１から１７までのいずれか一項による化合物。
【請求項３２】  先行する請求項のいずれか一項による化合物を調製するための方法であって、該方法が、化学式（Ｘ）：
【化１０】
2002521529.tif 000010
［式中のＸ１、Ｘ２、Ｙ１、Ｙ２、Ｒ１、Ｒ２、Ｒ３、Ｒ４、及びＲ５は請求項１において定義された通りのものであり、そして、Ｒ３５は水素またはヒドロキシである］の化合物を、化学式（ＸＩ）：
Ｒ１６−［Ｒ６−Ｚ４］ｒ  （ＸＩ）
［式中のＲ６、Ｒ１６、及びｒは請求項１において定義された通りのものであり、そして、Ｚ４は脱離基である］の化合物と反応させることを包含する、調製方法。
【請求項３３】  高分子材料を製造するための方法であって、該方法が、先行する請求項のうちの一項で定義された通りの化学式（Ｉ）の化合物を重合させることを包含する、製造方法。
【請求項３４】  ポリマーの製造方法であって、該方法が、化学式（ＩＢ）：
【化１１】
2002521529.tif 000011
［式中、Ｒ１”はＣＨであってＲ６”が化学結合であるか、あるいは、Ｒ１”とＲ６”が一緒になって電子求引性基を形成しており；
Ｒ２”とＲ３”は、（ＣＲ７”Ｒ８”）ｎ”、あるいは、基ＣＲ９”Ｒ１０”、−（ＣＲ７”Ｒ８”ＣＲ９”Ｒ１０”）−、または−（ＣＲ９”Ｒ１０”ＣＲ７”Ｒ８”）−から独立に選択され（式中、ｎ”は０、１、または２であり、Ｒ７”とＲ８”は水素またはアルキルから独立に選択され、そして、Ｒ９”またはＲ１０”のいずれか一方が水素であって他方が電子求引性基であるか、あるいは、Ｒ９”とＲ１０”が一緒になって電子求引性基を形成している）、そして
Ｒ４”及びＲ５”は、ＣＨまたはＣＲ１１”から独立に選択され、ここで、Ｒ１１”は電子求引性基であり；
Ｘ１及びＹ１”は、それぞれ、化学式（Ｉ）との関係においてＸ１及びＹ１に対して定義された通りの基であり；
Ｒ１６”は、（ａ）Ｒ１”とＲ６”、または（ｂ）Ｒ２”とＲ３”、もしくは（ｃ）Ｒ４”とＲ５”のうちの少なくとも１つが電子求引性基を含んでいることを条件として、原子価がｒ”の橋かけ基であって、ｒ”は２もしくはそれ以上の整数である］で表される化合物を、化学式（Ｉｂ）の化合物に重合をもたらす条件下において、放射線に晒すステップを包含する、ポリマーの製造方法。
【請求項３５】  共重合体を形成するために、化学式（Ｉ）または（ＩＢ）の化合物を異なる単量体単位と重合させることを特徴とする、請求項３３または３４による製造方法。
【請求項３６】  ポリマー複合体を形成するために、化学式（Ｉ）または（ＩＢ）の化合物を異なる化学的実体単位と重合させることを特徴とする、請求項３３または３４による製造方法。
【請求項３７】  該放射線が紫外線であることを特徴とする、請求項３３による製造方法。
【請求項３８】  光開始剤の存在下において実施されることを特徴とする、請求項３７による製造方法。
【請求項３９】  化学式（Ｉ）の化合物が電子ビームの影響下で硬化可能であり、そして、重合が、該化合物をそのようなビームに晒すことにより実施されることを特徴とする、請求項３３による製造方法。
【請求項４０】  化学式（Ｉ）の化合物が化学的な開始剤の存在下において硬化可能であり、そして、重合が、該化合物をそのような開始剤に接触させることにより実施されることを特徴とする、請求項３３による製造方法。
【請求項４１】  該重合が連鎖停止剤の存在により制御されることを特徴とする、請求項３１から４０までのいずれか一項による製造方法。
【請求項４２】  該連鎖停止剤が、化学式（ＸＩＩ）：
【化１２】
2002521529.tif 000012
［式中のＸ１、Ｘ２、Ｙ１、Ｙ２、Ｒ１、Ｒ２、Ｒ３、Ｒ４、Ｒ５、Ｒ６、Ｒ１６、及びｒは、請求項１において定義された通りのものである］で表される化合物を包含することを特徴とする、請求項４１による製造方法。
【請求項４３】  化学式（ＸＩＩＩ）：
【化１３】
2002521529.tif 000013
［式中、Ａは化学結合であるか、あるいはＣＨ２であり、Ｒ１、Ｒ２、Ｒ３、Ｒ４、Ｒ５、Ｒ６は化学式（Ｉ）との関係において定義された通りのものであり、Ｒ１６’は化学式（Ｉ）において定義された通りの化学式Ｒ１６の基であって、副次化学式（ＸＩＶ）：
【化１４】
2002521529.tif 000014
で表される更なる基で置換されていてもよく、そして、ｙは１より多くの整数、好適には５より多くの整数であって、適当には５から３０までであり、Ａは以上で定義された通りのものである］で表される高分子化合物。
【請求項４４】  ｙが５より多くの整数であることを特徴とする、請求項４３によるポリマー。
【請求項４５】  物品にポリマーコーティングを形成する方法であって、該方法が、請求項３４において定義された通りの化学式（ＩＢ）の化合物を該物品に適用し、該化合物を自然位で重合させるステップを包含する、形成方法。
【請求項４６】  請求項４５のプロセスにより得られるコーティングされた物品。